(57)【要約】【課題】プラント監視装置の新設／交換／増設する際の当該プラント監視装置のセットアップを正確かつ容易に行うことができるプラント監視装置セットアップシステムを提供する。【解決手段】プラントに適合して作成されるプラント監視用の制御プログラムや各種のパラメータを含むセットアップ情報Ｐｘ，Ｐｙ，・・・が予め登録されるセットアップ情報データベース２１と、プラント監視装置の新設／交換／増設の対象となるプラント５ｘに関するセットアップ情報Ｐｘから各プラント監視装置Ａ，Ｂが実行可能なデータ形式に変換して設定ファイルＬａ，Ｌｂを生成し、これらの設定ファイルＬａ，Ｌｂをプラント監視装置Ａ，Ｂにインストールするセットアップツール２２とを備えている。【選択図】図１
2010204991.tif 000002
【特許請求の範囲】
【請求項１】
プラントの稼働状態を監視するためのプラント監視装置に対して、プラント毎に適合して作成されるプラント監視用の制御プログラムおよび各種のパラメータを含むセットアップ情報をセットアップするためのシステムであって、
上記セットアップ情報が予め登録されたセットアップ情報データベースと、このセットアップ情報データベースに登録された上記セットアップ情報を各々のプラント監視装置が実行可能なデータ形式に変換した設定ファイルを生成し、この設定ファイルを上記プラント監視装置にインストールするセットアップツールと、を備えることを特徴とするプラント監視装置セットアップシステム。
【請求項２】
上記セットアップ情報を上記セットアップ情報データベースに登録する場合に、当該セットアップ情報を対話形式によって入力する対話入力手段を備えることを特徴とする請求項１記載のプラント監視装置セットアップシステム。
【請求項３】
上記セットアップツールは、上記プラント監視装置の機能追加に応じて、追加機能の内容を反映した設定ファイルを新たに生成するものである、ことを特徴とする請求項１または請求項２記載のセットアップツール。
【請求項４】
上記セットアップツールは、生成された上記設定ファイルを上記プラント監視装置にインストールする際に、インストールされるプラント監視装置のＳ／Ｗのバージョンと、それに対応したプラント監視装置の周辺機器のＳ／Ｗバージョンとを予め表示手段に表示するものである、ことを特徴とする請求項１ないし請求項３のいずれか１項に記載のプラント監視装置セットアップシステム。
【請求項５】
上記セットアップツールは、現地稼動している既存のプラント監視装置のセットアップ情報を読み取って上記セットアップ情報データベースに登録可能なデータ形式に変換して当該上記セットアップ情報データベースに更新登録するものである、ことを特徴とする請求項１ないし請求項４のいずれか１項に記載のプラント監視装置セットアップシステム。
【発明の詳細な説明】
【技術分野】
【０００１】
本発明は、プラント監視装置を新設／交換／増設などする際に、当該プラント監視装置に対する制御プログラムやパラメータなどのセットアップ（初期設定）を正確かつ容易に行えるようにしたプラント監視装置セットアップシステムに関する。
【背景技術】
【０００２】
一般に、各種のプラントにおいては、各プラントに配備された設備の稼働状態を監視するためにプラント監視装置が設けられている。そして、プラントが新設されるような場合には、これに併せてプラント監視装置を新たに設置する必要がある。また、プラント監視装置が故障したような場合には修理したり交換したりすることが必要となる。さらに、プラントに設備が増設されたような場合には、これに併せてプラント監視装置の増設が必要となることがある。
【０００３】
このように、プラント監視装置を新設／交換／増設する際には、各プラント監視装置に対してプラント毎に適合して作成されたプラント監視用の制御プログラムや各種のパラメータを含む情報をセットアップする必要が生じる。その際のセットアップは、従来、プラント毎に作成する各プラント監視装置のセットアップ情報を参照して、プラント監視装置の設定手順書を読みながら、プラント監視装置の設定ファイルを手動で設定するようにしている。
【０００４】
なお、従来技術では、プラントの各種設備を制御対象設備として、その各制御対象設備に対応する監視項目を定義した監視項目マスタと、制御対象設備が新たに設けられる場合には、上記監視項目マスタから必要な情報を抽出して追加される監視対象設備を新たな監視対象として追加する設備情報追加手段とを設け、監視対象設備の増設時のシステム再構築を容易にしてコスト削減を図り、システムの品質低下を防止するようにした設備監視システムが提案されている（例えば、下記の特許文献１等を参照）。
【先行技術文献】
【特許文献】
【０００５】
【特許文献１】特開２００３−２２８４１４号公報
【発明の概要】
【発明が解決しようとする課題】
【０００６】
プラント監視装置を新設／交換／増設する際、従来のように、プラント毎に作成するプラント監視装置毎のセットアップ情報を参照して、プラント監視装置の設定手順書を読みながら、プラント監視装置の設定ファイルを手動で設定すると、設定誤りが起こり易く、また、セットアップ時間もかかり非効率であるという問題がある。
【０００７】
また、前述の特許文献１記載の従来技術は、プラント監視装置を新設／交換／増設する際に、当該プラント監視装置に対する制御プログラムやパラメータのセットアップを正確かつ容易に行うことを意図したものではなく、あくまでプラント監視装置によって監視される側の制御対象設備の増設時のシステム再構築を容易化するものであって、プラント監視装置に対するセットアップを意図したものと対象が基本的に相違する。
【０００８】
このことから、特許文献１記載の従来技術は、監視対象設備の増設時にはプラント監視装置に対してその追加される監視対象設備に関するパラメータ設定を容易化することはできるものの、プラント監視装置を新設／交換／増設する際に当該プラント監視装置に対するプラント監視用の制御プログラムのセットアップの容易化を図ることは難しい。特に、各プラントによってプラント監視装置に対してセットアップされる制御プログラムが異なるので、プラント監視装置の新設／交換／増設する場合、その制御プログラムに応じてパラメータの設定変更も多岐に渡ることになるため、パラメータ設定の難易度も大きくなり、特許文献１記載の技術だけでは十分に対処することが難しい。
【０００９】
本発明は、上記の課題を解決するためになされたもので、プラント監視装置の新設／交換／増設する際の当該プラント監視装置のセットアップを正確かつ容易に行えるようにして、設定誤りを防止するとともに、セットアップ時間を短縮化して作業効率を高めることができるプラント監視装置セットアップシステムを提供することを目的とする。
【課題を解決するための手段】
【００１０】
この発明に係るプラント監視装置セットアップシステムは、プラントの稼働状態を監視するためのプラント監視装置に対して、プラント毎に適合して作成されるプラント監視用の制御プログラムおよび各種のパラメータを含むセットアップ情報をセットアップするためのものであって、上記セットアップ情報が予め登録されるセットアップ情報データベースと、このセットアップ情報データベースに登録された上記セットアップ情報を各々のプラント監視装置が実行可能なデータ形式に変換した設定ファイルを生成し、この設定ファイルを上記プラント監視装置にインストールするセットアップツールと、を備えていることを特徴としている。
【発明の効果】
【００１１】
本発明によれば、プラント監視装置の新設／交換／増設する際の当該プラント監視装置のセットアップを正確かつ容易に行えるので、設定誤りを防止できるととに、セットアップ時間を短縮化できるため作業効率を高めることができる。
【図面の簡単な説明】
【００１２】
【図１】本発明の実施の形態１のプラント監視装置セットアップシステムにおいて、新設プラントにプラント監視装置を設置する場合の状況を示す構成図である。
【図２】同システムにおけるセットアップ情報の内容を示す説明図である。
【図３】同システムにおいて、新たに設置されるプラント監視装置に対するセットアップ手順の説明に供するフローチャートである。
【図４】本発明の実施の形態１のプラント監視装置セットアップシステムにおいて、既設プラントに配備されたプラント監視装置の一部を交換する場合の状況を示す構成図である。
【図５】同システムにおいて、交換されるプラント監視装置に対するセットアップ手順の説明に供するフローチャートである。
【図６】本発明の実施の形態１のプラント監視装置セットアップシステムにおいて、既設プラントにプラント監視装置を一部増設する場合の状況を示す構成図である。
【図７】同システムにおいて、増設されるプラント監視装置に対するセットアップ手順の説明に供するフローチャートである。
【図８】本発明の実施の形態２のプラント監視装置セットアップシステムにおける動作説明に供する説明図である。
【図９】本発明の実施の形態３のプラント監視装置セットアップシステムにおいて、プラント監視装置に機能追加がある場合の対処手順の説明に供するフローチャートである。
【図１０】本発明の実施の形態４のプラント監視装置セットアップシステムにおいて、プラントにプラント監視装置に加えて周辺機器が設けられている場合の状況を示す構成図である。
【図１１】同システムにおいて、プラント監視装置と周辺機器のバージョン情報を表示した場合の一例を示す説明図である。
【図１２】本発明の実施の形態５のプラント監視装置セットアップシステムにおいて、プラントに配備されたプラント監視装置のセットアップ情報が変更されている場合の状況を示す構成図である。
【図１３】同システムにおいて、プラントに配備されたプラント監視装置のセットアップ情報が変更されている場合の対処手順の説明に供するフローチャートである。
【発明を実施するための形態】
【００１３】
実施の形態１．
図１は、本発明の実施の形態１のプラント監視装置セットアップシステムにおいて、新設プラントにプラント監視装置を設置する場合の状況を示す構成図である。
【００１４】
この実施の形態１のプラント監視装置セットアップシステムは、プラントの稼働状態を監視するためのプラント監視装置の製造やメンテナンス等を行うための工場１内にプラント監視装置セットアップ用パーソナルコンピュータ（以下、セットアップ用ＰＣと略称する）２が設置されている。
【００１５】
このセットアップ用ＰＣ２は、複数のプラントに関して各プラント毎に適合して作成されるプラント監視用の制御プログラムや各種のパラメータを含むセットアップ情報Ｐｘ，Ｐｙ，・・・が予め登録されるセットアップ情報データベース２１と、このセットアップ情報データベース２１に登録されたセットアップ情報Ｐｘ，Ｐｙ，・・・を各々のプラント監視装置が実行可能なデータ形式に変換（コンパイル）した設定ファイルを生成し、この設定ファイルをプラント監視装置にインストールするセットアップツール２２とを備えている。
【００１６】
さらに、このセットアップ用ＰＣ２は、上記セットアップ情報を入力するためのキーボードやマウス、ディスクドライバ等の入力装置２３、セットアップ情報をセットアップ情報データベース２１に登録する際や、既に登録されるセットアップ情報を画面に表示する液晶ディスプレイ等の表示装置２４、および、各部の動作を制御するＣＰＵ等からなるコントローラ２５を備えている。
【００１７】
そして、新設のプラント５ｘに各プラント監視装置Ａ，Ｂを新たに配備する場合には、予めセットアップ用ＰＣ２に対して、配備予定のプラント監視装置Ａ，Ｂが工場内ネットワーク３を介して接続される。なお、ここでは説明を容易にするため、新設のプラント５ｘに設置されるプラント監視装置Ａ，Ｂは２台としているが、本発明はこのような台数に限定されるものではない。なお、プラント５ｘにおいては、図示しない各設備の動作を制御するとともに、各設備で得られる情報を収集する制御器６が設けられており、各制御器６がＬＡＮ等の通信ネットワーク７を介してセットアップが完了した各プラント監視装置Ａ，Ｂに対して接続される。
【００１８】
上記のセットアップ情報データベース２１に登録されるセットアップ情報Ｐｘ，Ｐｙ，・・・の内、例えば新設のプラント５ｘに関するセットアップ情報Ｐｘとしては、図２に示すように、当該プラント５ｘのシステム構成情報Ｐｘｓや、各プラント監視装置Ａ，Ｂに対する設定情報Ｐｘａ，Ｐｘｂを含み、各設定情報Ｐｘａ，Ｐｘｂとしては、プラント監視用の制御プログラムに加えて、各制御プログラムのバージョン情報、装置タイプ（機種）情報各プラント５ｘに特有の機能を示すプラント特化機能情報、プラント５ｘに固有のネットワークアドレス等のプラント固有情報といった各種のパラメータがある。
【００１９】
次に、新設のプラント５ｘに新たに配備される各プラント監視装置Ａ，Ｂに対してセットアップ情報Ｐｘをインストールする場合の手順について、図３に示すフローチャートを参照して説明する。なお、以下において、符号Ｓは各処理ステップを意味する。
【００２０】
まず、工場内ネットワーク３に対して新設プラント５ｘに新たに設置する予定のプラント監視装置Ａ，Ｂを接続する（Ｓ１１）。その際、セットアップ用ＰＣ２のセットアップ情報データベース２１には、未だ新設されるプラント５ｘに関するセットアップ情報Ｐｘが登録されていないので、オペレータは、セットアップ用ＰＣ２の入力装置２３を用いて、新設プラント５ｘのセットアップ情報Ｐｘを入力してセットアップ情報データベース２１に登録する（Ｓ１２）。
【００２１】
セットアップ情報データベース２１に対して新設されるプラント５ｘに関するセットアップ情報Ｐｘの登録が完了すると、セットアップ用ＰＣ２のコントローラ２５によってセットアップツール２２を起動する（Ｓ１３）。そして、入力装置２３によって新設プラント５ｘに設置予定のプラント監視装置Ａ，Ｂを指定すると、セットアップツール２２は、セットアップ情報データベース２１に登録されているセットアップ情報の内から、当該プラント５ｘに関するセットアップ情報Ｐｘに含まれるプラント監視装置Ａ，Ｂの設定情報Ｐｘａ，Ｐｘｂを読み出し、この設定情報Ｐｘａ，Ｐｘｂをプラント監視装置Ａ，Ｂが実行可能なデータ形式に変換して各設定ファイルＬａ，Ｌｂを生成する（Ｓ１４）。
【００２２】
続いて、セットアップツール２２は、プラント監視装置Ａ，Ｂに関してそれぞれ生成された各設定ファイルＬａ，Ｌｂを、工場内ネットワーク３を通じてプラント監視装置Ａ，Ｂにそれぞれ転送してインストールする（Ｓ１５）。そして、工場１内においてインストールが完了した各プラント監視装置Ａ，Ｂが所期の動作を行うかどうかを確認した後（Ｓ１６）、新設プラント５ｘに運搬して設置する（Ｓ１７）。
【００２３】
図４は本発明の実施の形態１のプラント監視装置セットアップシステムにおいて、既設プラント５ｙに配備されている既存のプラント監視装置Ｃ，Ｄの内、ある一つのプラント監視装置Ｃが故障したために、これをプラント監視装置Ｃ’と交換する必要が生じた場合の状況を示す構成図である。また、図５は同システムにおいて、交換されるプラント監視装置Ｃ’に対するセットアップ手順の説明に供するフローチャートである。
【００２４】
図４および図５に示すように、既設プラント５ｙに配備されている既存のプラント監視装置Ｃ，Ｄの内、ある一つのプラント監視装置Ｃが故障したために、これをプラント監視装置Ｃ’と交換する必要が生じた場合、まず、工場内ネットワーク３に対して交換対象となるプラント監視装置Ｃ’を接続する（Ｓ２１）。
【００２５】
次に、セットアップ用ＰＣ２のコントローラ２５によってセットアップツール２２を起動する（Ｓ２２）。そして、入力装置２３によって故障した元のプラント監視装置Ｃを指定すると、セットアップツール２２は、セットアップ情報データベース２１に含まれるセットアップ情報の内から、当該プラント５ｙに関するセットアップ情報Ｐｙに含まれる元のプラント監視装置Ｃに関する設定情報Ｐｙｃを読み出し、この設定情報Ｐｙｃをプラント監視装置Ｃが実行可能なデータ形式に変換して設定ファイルＬｃを生成する（Ｓ２３）。
【００２６】
続いて、セットアップツール２２は、プラント監視装置Ｃに関して生成された設定ファイルＬｃを、工場内ネットワーク３を通じてプラント監視装置Ｃ’に転送してインストールする（Ｓ２４）。そして、工場１内においてインストールが完了したプラント監視装置Ｃ’が所期の動作を行うかどうかを確認した後（Ｓ２５）、既設プラント５ｙに運搬して故障したプラント監視装置Ｃと交換する（Ｓ２６）。
【００２７】
図６は、本発明の実施の形態１のプラント監視装置セットアップシステムにおいて、既設プラント５ｚに設けられた既存の１台のプラント監視装置Ｅに対して、さらに１台のプラント監視装置Ｆを増設する場合の状況を示す構成図である。また、図７は同システムにおいて、増設されるプラント監視装置Ｆに対するセットアップ手順の説明に供するフローチャートである。
【００２８】
図６および図７に示すように、既設プラント５ｚに配備されている既存の一つのプラント監視装置Ｅに対して、さらに一つのプラント監視装置Ｆを増設する必要が生じた場合、まず、工場内ネットワーク３に対して増設対象となるプラント監視装置Ｆを接続する（Ｓ３１）する。
【００２９】
次に、セットアップ用ＰＣ２のコントローラ２５によってセットアップツール２２を起動する（Ｓ３２）。そして、入力装置２３を用いて、既存のプラント監視装置Ｅを指定するとともに、プラント監視装置Ｅとプラント監視装置Ｆの設定ファイルの差分情報を入力する（Ｓ３３）。プラント監視用の制御プログラムは、このプラント５ｚにおいて各装置Ｅ，Ｆ共に基本的に同じなので、この場合の差分情報とは、既存のプラント監視装置Ｅの設定ファイルＬｅをベースとして、このプラント監視装置Ｅとは異なるプラント監視装置Ｆに特有のパラメータ（例えば装置タイプ等の情報）をオペレータが入力することになる。
【００３０】
すると、セットアップツール２２は、セットアップ情報データベース２１からプラント５ｚに関するセットアップ情報Ｐｚに含まれる既存のプラント監視装置Ｅに関する設定情報Ｐｚｅを読み出し、この設定情報Ｐｚｅに基づく設定ファイル作成し、この設定ファイルと上記の差分情報とに基づいて、増設されるプラント監視装置Ｆが実行可能なデータ形式を有する設定ファイルＬｆを新たに生成する（Ｓ３４）。
【００３１】
続いて、セットアップツール２２は、プラント監視装置Ｆに関して生成された設定ファイルＬｆを、工場内ネットワーク３を通じてプラント監視装置Ｆに転送してインストールする（Ｓ３５）。
【００３２】
また、セットアップツール２２は、こうして新たに生成されたプラント監視装置Ｆに関する設定ファイルＬｆを読み取ってセットアップ情報データベース２１に登録可能なデータ形式に逆変換してフィードバックする（Ｓ３６）。そして、このフィードバックしたプラント監視装置Ｆに関するセットアップ情報をセットアップ情報データベース２１に登録する（Ｓ３７）。これにより、プラント５ｚのセットアップ情報Ｐｚに関して、既存のプラント監視装置Ｅの情報に加えて、増設されるプラント監視装置Ｆに関する情報が追加される。例えば、システム構成図には増設したプラント監視装置Ｆの図が追加され、またプラント監視装置Ｆの設定情報Ｐｚｆが追加される。その後は、工場１内でインストールが完了したプラント監視装置Ｆが所期の動作を行うかどうかを確認した後（Ｓ３８）、既設プラント５ｚに運搬して増設する（Ｓ３９）。
【００３３】
このように、この実施の形態１では、セットアップ用ＰＣ２のセットアップ情報データベース２１には各プラント５ｘ，５ｙ，・・・ごとに配備されるプラント監視装置のセットアップ情報Ｐｘ，Ｐｙ，・・・が登録されるとともに、セットアップツール２２がセットアップ情報データベース２１に登録されているセットアップ情報から各プラント監視装置に適合した設定ファイルをほぼ自動的に生成するので、従来のように、セットアップ情報にあわせてプラント監視装置の設定手順書を見ながら手動で設定ファイルを設定する必要が無くなり、プラント監視装置の設定誤りを防止することができる。
【００３４】
また、工場１内にセットアップ用ＰＣ２を設置し、そのセットアップ用ＰＣ２に工場内ネットワーク３を介して新設／増設／交換するプラント監視装置を接続することで、セットアップツール２２で自動生成された設定ファイルをセットアップ用ＰＣ２からプラント監視装置に直接インストールできるため、セットアップ時間を短縮することが可能となり、設定作業の効率化を図ることができる。
【００３５】
実施の形態２．
上記の実施の形態１の図１および図２で説明したように、特に新設のプラント５ｘに新たにプラント監視装置Ａ，Ｂを設置するような場合、セットアップ情報データベース２１に対して当該プラント５ｘに関するプラント監視用の制御プログラムや各種のパラメータを含むセットアップ情報Ｐｘを予め登録する必要がある。しかし、入力装置２３を用いてセットアップ情報Ｐｘを単に入力するだけではその入力内容が正確に行われたがどうかを確認することが難しく、入力誤りを起こし易い。
【００３６】
そこで、この実施の形態２では、入力装置２３を用いてセットアップ情報データベース２１に対して、例えば新設のプラント５ｘに関するセットアップ情報Ｐｘを入力する場合に、当該セットアップ情報Ｐｘを対話形式によって入力する対話入力手段を設けている。
【００３７】
すなわち、この実施の形態２における対話入力手段は、例えば図１において、入力装置２３、コントローラ２５、および表示装置２４とから構成されており、コントローラ２５は、セットアップツール２２と共働して入力装置２３から入力されるセットアップ情報の各入力項目を順に表示装置２４に表示し、セットアップ情報の一つの項目が入力装置２３によって確定されれば、これに応じてコントローラ２５は、その確定された情報をセットアップ情報データベース２１に登録する。
【００３８】
例えば、図８に示すように、セットアップツール２２が起動された場合、セットアップツール２２は、コントローラ２５を経由して一つのプラント監視装置の種別を選択するように表示装置２４の画面に要求を表示する。そして、入力装置２３で種別の一つが選択された場合には、コントローラ２５は、その選択された種別の情報をセットアップ情報データベース２１に登録する。続いて、セットアップツール２２は、コントローラ２５を経由して各プラントに特有の機能を示すプラント特化機能情報を選択するように表示装置２４の画面に要求を表示する。そして、入力装置２３で特化機能の内の一つが選択された場合には、コントローラ２５は、その選択された特化機能情報をセットアップ情報データベース２１に登録する。
【００３９】
このように、この実施の形態２では、セットアップ情報をセットアップ情報データベース２１に登録する場合に、当該セットアップ情報を対話形式によって入力できるようにしているので、各プラントについてのセットアップ情報の入力登録を容易、かつ確実に行うことができる。
なお、セットアップ用ＰＣ２のその他の構成および動作は、実施の形態１の場合と同様であるから、ここでは詳しい説明は省略する。
【００４０】
実施の形態３．
上記の実施の形態１では、プラント監視装置の新設／増設／交換時に伴ってプラント監視装置に対してセットアップ情報を自動的にセットアップする場合について説明したが、そのようなセットアップを行う以前の段階で、プラント監視装置の機能追加（バージョンアップ）等により、プラント監視装置の設定ファイルが変更されたり、増加したりする場合がある。
【００４１】
このような場合、セットアップツール２２が従前の変換（コンパイル）機能のままであると、機能追加されたプラント監視装置に適合した設定ファイルを生成することができず、設定ファイルを適正にインストールできなくなってしまう。
【００４２】
そこで、この実施の形態３では、図９のフローチャートに示すように、プラント監視装置の機能追加に応じて、セットアップツール２２が自動的に当該追加機能の内容を反映した設定ファイルを新たに生成できるようにしたものである。
【００４３】
すなわち、例えば図４に示す構成において、既設プラント５ｙに配備されている既存のプラント監視装置Ｃ，Ｄの内、ある一つのプラント監視装置Ｃが故障したために、これをプラント監視装置Ｃ’に交換する必要が生じた場合、この交換される新たなプラント監視装置Ｃ’は、既設のプラント監視装置Ｃよりも新しい機能が追加されていたものとする（Ｓ２７）。
【００４４】
その場合でも、セットアップツール２２がセットアップ情報データベース２１に登録されたプラント５ｙに関するセットアップ情報Ｐｙに含まれるプラント監視装置Ｃの設定情報Ｐｙｃが、機能追加されたプラント監視装置Ｃ’に対しても実行可能なデータ形式に変換されて設定ファイルが生成されるようにする必要がある。そこで、この実施の形態３では、予め入力装置２３からプラント監視装置Ｃ５’の追加機能に応じた制御プログラムが登録されたＣＤ−ＲＯＭ等を入力してセットアップツール２２もバージョンアップさせる（Ｓ２８）。
【００４５】
そして、バージョンアップされたセットアップツール２２を用いて、セットアップ情報データベース２１に登録されたプラント５ｙに関するセットアップ情報Ｐｙに含まれるプラント監視装置Ｃの設定情報Ｐｙｃに基づいて設定ファイルを作成する（Ｓ２９）。この設定ファイルは、機能追加されたプラント監視装置Ｃ’に適合したデータ形式となっているので、この設定ファイルをプラント監視装置Ｃ’に対してインストールすることができる。
なお、ここでは、プラント監視装置を一部交換する場合について説明したが、プラント監視装置を新設したり増設したりする場合でも同様に対処することができる。
【００４６】
このように、この実施の形態３では、プラント監視装置の新設／増設／交換時において、プラント監視装置に新機能が追加された場合、セットアップツール２２は、その追加機能の内容を反映した設定ファイルを新たに生成することができるので、新たに設置されるプラント監視装置が機能追加されている場合でも、そのプラント監視装置に対してセットアップ情報を円滑にセットアップすることができる。
【００４７】
実施の形態４．
上記の各実施の形態１〜３では、セットアップツール２２によって各プラント監視装置Ａ〜Ｆに対してセットアップ情報を自動的にセットアップする場合について説明したが、図１０に示すように、例えばプラント５ｘのネットワーク７にプリンタなどの周辺機器８が接続される場合、その周辺機器８の情報についてもセットアップ情報Ｐｘの内の一つの情報（プラント特化機能情報）としてセットアップ情報データベース２１に登録される。したがって、予め想定されている機種と異なる周辺機器８がネットワーク７に接続された場合には、その周辺機器８はプラント５ｘに適合した正常な動作をすることが難しくなる。
【００４８】
そこで、この実施の形態４では、例えばセットアップツール２２がプラント監視装置Ａ，Ｂにセットアップ情報をインストールする際、セットアップツール２２は、セットアップ情報データベース２１に登録されているプラント監視装置Ａ，Ｂに関するＳ／Ｗバージョンと、それに対応した周辺機器８のドライババージョンの情報とを読み出し、これらの情報をコントローラ２５を経由して表示装置２４の画面に表示する。すなわち、図１１には、表示装置２４の画面にプラント監視装置Ａ，Ｂに関するＳ／Ｗバージョンと、周辺機器（ここではプリンタ）８のドライババージョンとが共に表示されている。
【００４９】
このように、この実施の形態４では、セットアップツール２２によってセットアップ情報をプラント監視装置Ａ，Ｂにセットアップする際、プラント監視装置Ａ，ＢのＳ／Ｗのバージョンと、それに対応した周辺機器８のＳ／Ｗバージョンとを予め表示装置２４に表示するので、周辺機器８のＳ／Ｗについて、Ｓ／Ｗバージョンのインストール誤りを防止することができ、周辺機器８がプラント５ｚに適合した正常な動作をしない等の不具合発生を未然に回避することができる。
【００５０】
実施の形態５．
図１２に示すように、既設のプラント５ｙに設置されている各プラント監視装置Ｃ，Ｄにインストールされているセットアップ情報（設定ファイル）は、現地の運用中にプラント５ｙの各設備の稼働状況をさらに適切に監視できるようにプラント５ｙ側で独自に変更されることがある。
【００５１】
しかるに、例えば上記の実施の形態１の図４および図５に示したように、プラント監視装置Ｃの故障のために別のプラント監視装置Ｃ’に交換する場合、セットアップ情報データベース２１に登録されているプラント監視装置Ｃに関する設定情報Ｐｙｃに基づいて得られる設定ファイルＬｃを、交換対象となるプラント監視装置Ｃ’にそのままインストールすると、現地の運用中に変更された設定ファイルＬｃｍと齟齬が生じてプラント５ｙの稼働状況の監視を適切に行えなくなる恐れがある。
【００５２】
そこで、この実施の形態５では、図１３のフローチャートに示すように、現地稼動している既存のプラント監視装置Ｃ，Ｄの内、交換が必要となるプラント監視装置Ｃについての既に変更されたセットアップ情報（設定ファイル）のバックアップデータＬｃｍを工場に持ち帰る（Ｓ５１）。そして、そのバックアップデータＬｃｍを入力装置２３からコントローラ２５を経由してセットアップツール２２が読み取り、このバックアップデータＬｃｍをセットアップ情報データベース２１に登録可能なデータ形式に変換して当該セットアップ情報データベース２１に更新登録する（Ｓ５２）。したがって、プラント監視装置Ｃに関する設定情報は、ＰｙｃからＰｙｃｍに変更される。
【００５３】
これにより、プラント監視装置を例えばＣからＣ’に交換する際には、工場内ネットワーク３に対して交換対象となるプラント監視装置Ｃ’を接続し（Ｓ２１）、続いて、入力装置２３によって元のプラント監視装置Ｃを指定すると、セットアップツール２２は、セットアップ情報データベース２１に含まれるセットアップ情報の内から、プラント監視装置Ｃに関する更新登録後の設定情報Ｐｙｃｍを読み出し、この更新登録後の設定情報Ｐｙｃｍをプラント監視装置Ｃ’が実行可能なデータ形式に変換して設定ファイルＬｃｍを生成し（Ｓ２３）、この設定ファイルＬｃｍを、工場内ネットワーク３を通じてプラント監視装置Ｃ’に転送してインストールする（Ｓ２４）。このため、プラント監視装置を交換する場合でも、現地の最新のセットアップ情報に容易に更新することが可能となる。
【００５４】
なお、ここでは、プラント監視装置を例えばＣからＣ’に交換する場合について説明したが、これに限らず、プラント監視装置を増設する場合でも同様に対処することができる。
【００５５】
このように、この実施の形態５では、現地稼動している既存のプラント監視装置のセットアップ情報が変更されている場合、変更されたセットアップ情報をセットアップツール２２が読み取ってセットアップ情報データベース２１に更新登録するので、プラント監視装置を交換／増設する場合でも、容易に現地に適合したセットアップ情報に更新することが可能となる。
【００５６】
なお、上記の実施の形態１〜５では、発明の理解を容易にするため、各プラントに設置されるプラント監視装置は２台に限定して説明したが、本発明はこのような台数に限定されるものではないのは勿論である。
【符号の説明】
【００５７】
２  セットアップ用ＰＣ、２１  セットアップ情報データベース、
２２  セットアップツール、２３  入力装置、２４  表示装置、２５  コントローラ、
５ｘ，５ｙ，５ｚ  プラント、８  周辺機器（プリンタ）、
Ａ，Ｂ，Ｃ，Ｃ’，Ｄ，Ｅ，Ｆ  プラント監視装置、
Ｐｘ，Ｐｙ，Ｐｚ  セットアップ情報、
Ｌａ，Ｌｂ，Ｌｃ，Ｌｄ，Ｌｅ，Ｌｆ  設定ファイル。
【図１】
2010204991.tif 000003
【図２】
2010204991.tif 000004
【図３】
2010204991.tif 000005
【図４】
2010204991.tif 000006
【図５】
2010204991.tif 000007
【図６】
2010204991.tif 000008
【図７】
2010204991.tif 000009
【図８】
2010204991.tif 000010
【図９】
2010204991.tif 000011
【図１０】
2010204991.tif 000012
【図１１】
2010204991.tif 000013
【図１２】
2010204991.tif 000014
【図１３】
2010204991.tif 000015